(57)【要約】【課題】カード出し入れ時の利便性と防盗性を満足させると共にグローブボックスやコンソールなどの収納スペース容量を損なわないカード収容部を有したカード収容部付き車両用テーブル装置を提供する。【解決手段】車両用助手席シート３のシートバック背面２ａにヒンジ機構部７を介してテーブル４を開閉自在に設け、テーブル使用時にはシートバックをシートクッション１上に折り畳みそのシートバック背面からテーブルを反転させて開き、テーブル不使用時にはテーブルをシートバック背面に格納する車両用テーブル装置において、前記テーブルを反転させて開いたときに、このテーブルの下に位置するカード収容部１２が設けられている。【選択図】図６
2008137583.tif 000002
【特許請求の範囲】
【請求項１】
車両用助手席シートのシートバック背面にヒンジ機構部を介してテーブルを開閉自在に設け、テーブル使用時にはシートバックをシートクッション上に折り畳みそのシートバック背面からテーブルを反転させて開き、テーブル不使用時にはテーブルをシートバック背面に格納する車両用テーブル装置において、
前記テーブルを反転させて開いたときに、このテーブルの下に位置するカード収容部が設けられている
ことを特徴とするカード収容部付き車両用テーブル装置。
【請求項２】
請求項１に記載のカード収容部付き車両用テーブル装置であって、
前記カード収容部は、前記シートバック背面の運転席側角部に設けられている
ことを特徴とするカード収容部付き車両用テーブル装置。
【請求項３】
請求項１または請求項２に記載のカード収容部付き車両用テーブル装置であって、
前記カード収容部は、前記テーブルを回転自在とするヒンジ機構部を覆うカバーに設けられている
ことを特徴とするカード収容部付き車両用テーブル装置。
【請求項４】
請求項３に記載のカード収容部付き車両用テーブル装置であって、
前記カード収容部のカード挿入口を、前記カバーと、前記テーブルをシートバック背面に格納するテーブル収容凹部を形成したシートバックフィニッシャとの間に設けた
ことを特徴とするカード収容部付き車両用テーブル装置。
【請求項５】
請求項４に記載のカード収容部付き車両用テーブル装置であって、
前記カード収容部における前記カバーと前記シートバックフィニッシャの内面には、前記カードを厚み方向に押さえる位置決め用リブがそれぞれ突設されている
ことを特徴とするカード収容部付き車両用テーブル装置。
【請求項６】
請求項５に記載のカード収容部付き車両用テーブル装置であって、
前記シートバックフィニッシャには、前記カードの両側縁に係合してカード収容部への前記カードの挿入をガイドする挿入ガイド部が設けられた
ことを特徴とするカード収容部付き車両用テーブル装置。
【請求項７】
請求項１から請求項６の何れか一つに記載のカード収容部付き車両用テーブル装置であって、
前記テーブルは、運転席側寄りに車両斜め前方に向けて反転されシフトレバーの上方に開いて配置される
ことを特徴とするカード収容部付き車両用テーブル装置。
【発明の詳細な説明】
【技術分野】
【０００１】
本発明は、車両用助手席シートに格納式のテーブルを開閉自在に設けてなるカード収容部付き車両用テーブル装置に関する。
【背景技術】
【０００２】
従来より、例えばプリペイドカード、通行券、クレジットカード等の各種カードを車室内に配置させるためのカードホルダが提案されている。
【０００３】
その一つの構造として、例えば、ベンチレータのケース部外側面にカード収納装置を取り付けると共に、風向調整用ルーバーを覆うフィニッシャーの空気吹出口に沿ってカード挿入口を形成した構造のものがある（例えば、特許文献１参照）。
【特許文献１】特開２００１−９７０３６号公報
【発明の開示】
【発明が解決しようとする課題】
【０００４】
しかし、特許文献１に記載の技術では、運転席からカードを取り出し易い位置にカード挿入口を配置して利便性を図っているが、その反面、車外からもカードが見え易く盗難される危険性がある。そのため、車から離れる場合は、その度にカードを鞄などにしまう煩わしさが発生する。
【０００５】
なお、車外から見えない位置、例えばグローブボックス内やコンソール内にカードホルダを配置すると、グローブボックスやコンソールなどの収納スペースが制約されてしまう。
【０００６】
そこで、本発明は、カード出し入れ時の利便性と防盗性（盗難防止性）を満足させると共にグローブボックスやコンソールなどの収納スペース容量を損なわないカード収容部を有したカード収容部付き車両用テーブル装置を提供することを目的とする。
【課題を解決するための手段】
【０００７】
本発明は、車両用助手席シートのシートバック背面にヒンジ機構部を介してテーブルを開閉自在に設け、テーブル使用時にはシートバックをシートクッション上に折り畳みそのシートバック背面からテーブルを反転させて開き、テーブル不使用時にはテーブルをシートバック背面に格納する車両用テーブル装置において、前記テーブルを反転させて開いたときに、このテーブルの下に位置するカード収容部が設けられていることを特徴とする。
【発明の効果】
【０００８】
本発明のカード収容部付き車両用テーブル装置によれば、シートバック背面に開閉自在に設けたテーブルを反転させて開いたときに、このテーブルの下にカードを収容させるカード収容部を設けているので、車から離れるときにはこのテーブルを反転させることで簡単にカードを隠すことができ、走行時にはテーブルをシートバック背面に格納することでカード収容部に対するカードの出し入れが容易になる。
【発明を実施するための最良の形態】
【０００９】
以下、本発明を適用した具体的な実施の形態について図面を参照しながら詳細に説明する。
【００１０】
図１は本実施の形態のカード収容部付き車両用テーブル装置が設けられた車両用助手席シートを示し、シートバック背面側から見たときの斜視図、図２は本実施の形態のカード収容部付き車両用テーブル装置のカード収容部が設けられた部分を拡大して示す要部拡大斜視図、図３は図２のヒンジ機構部を覆うカバーを取り外したときのカード収容部の要部拡大斜視図、図４は図２のヒンジ機構部を覆うカバーを裏側から見たときの斜視図、図５はカバーを装着させた状態の図３のＡ−Ａ線位置の断面図、図６は図１のシートバックを折り畳んでテーブルを反転させて開いた状態を示す斜視図である。
【００１１】
カード収容部付き車両用テーブル装置は、図１及び図６に示すように、シートクッション１の上にシートバック２が重なるように折り畳み自在とされる車両用助手席シート３に設けられている。シートバック２の背面２ａ（以下、シートバック背面２ａという）には、テーブル４と、このテーブル４をシートバック背面２ａに格納するテーブル収容凹部５を形成したシートバックフィニッシャ６と、が設けられている。
【００１２】
シートバックフィニッシャ６は、例えば樹脂成形品として形成され、シートバック背面２ａに固定されている。シートバックフィニッシャ６には、テーブル４を格納するためのテーブル収容凹部５が形成されている。テーブル収容凹部５は、テーブル４を格納させたときには、このシートバックフィニッシャ６の外表面から該テーブル４を突出させないような深さとされた凹みとして形成されている。
【００１３】
テーブル４は、シートバックフィニッシャ６に対してヒンジ機構部７を介して開閉自在とされている。ヒンジ機構部７は、シートバック背面２ａの運転席側角部に設けられており、外部から見えないように化粧材としてのカバー８で覆われている。ヒンジ機構部７は、図２及び図３に示すように、シャフト形状の本体部９ａを有しその両端部９ｂを細径とした回転支持体９と、この回転支持体９の両端部９ｂに溶接され該回転支持体９をシートバック２に固定させる固定部材１０と、前記回転支持体９の本体部９ａに装着されて前記テーブル４を回転自在とする該テーブル４に設けられた回転装着部１１と、から構成される。
【００１４】
固定部材１０は、ボルト１２でシートバック２に固定され、両端に設けられた連結片部１０ａを前記回転支持体９の両端部９ｂに溶接して、前記回転支持体９と一体化されている。回転装着部１１は、テーブル４の一側縁に設けられており、前記回転支持体９の本体部９ａを覆って嵌合装着され、この本体部９ａの周面に沿って回転することにより前記テーブル４を開閉自在とする。
【００１５】
カバー８は、シートバックフィニッシャ６の運転席側角部に設けられ、前記固定部材１０、ボルト１２及び前記回転支持体９の両端部９ｂと連結片部１０ａの溶接部分を覆って設けられている。このカバー８が装着されることにより、前記ボルト１２などが覆われ外観上見栄えが良くされている。
【００１６】
そして特に本実施の形態では、このカバー８には、カードを収容させるためのカード収容部１２が設けられている。カード収容部１２は、シートバックフィニッシャ６に形成された下側カード収容部１２Ａと、カバー８の内面８ａに形成された上側カード収容部１２Ｂと、で構成されている。
【００１７】
下側カード収容部１２Ａには、カード１３の挿入方向における前端縁１３ａを当接させてカード１３の挿入奥行き位置を規制する奥行き位置決めリブ１４Ａと、カード１３の両側縁１３ｂ、１３ｂをガイドするサイド位置決めリブ１４Ｂ、１４Ｂと、カード１３を厚み方向で押さえる厚み方向位置決めリブ１５と、カード１３の両側縁１３ｂ、１３ｂに係合してカード収容部１２へのカード１３の挿入をガイドする挿入ガイド部１６と、が設けらている。
【００１８】
このように構成された下側カード収容部１２Ａは、奥行き位置決めリブ１４Ａと、この奥行き位置決めリブ１４Ａの両端に連結するサイド位置決めリブ１４Ｂ、１４Ｂとにより全体形状を平面視逆コ字状とされ、その枠内にカード１３を収容させる。そして、この枠内に収容されるカード１３は、両側に設けられた挿入ガイド部１６によってその挿入がガイドされると共に、底面に設けられた厚み方向位置決めリブ１５により前記挿入ガイド部１６に押し付けられる。
【００１９】
一方、上側カード収容部１２Ｂには、図４及び図５に示すように、下側カード収容部１２Ａと同様、カード１３の挿入方向における前端縁１３ａを当接させてカード１３の挿入奥行き位置を規制する奥行き位置決めリブ１７Ａと、カード１３の両側縁１３ｂ、１３ｂをガイドするサイド位置決めリブ１７Ｂ、１７Ｂと、カード１３を厚み方向で押さえる厚み方向位置決めリブ１８と、が設けられている。
【００２０】
この上側カード収容部１２Ｂは、奥行き位置決めリブ１７Ａと、この奥行き位置決めリブ１７Ａの両端に連結するサイド位置決めリブ１７Ｂ、１７Ｂとにより全体形状を平面視逆コ字状とされ、その枠内にカード１３を収容させる。そして、この枠内に収容されるカード１３は、天面に設けられた厚み方向位置決めリブ１８により下側カード収容部１２Ａの底面に設けられた厚み方向位置決めリブ１５に押し付けられる。
【００２１】
前記下側カード収容部１２Ａと上側カード収容部１２Ｂからなるカード収容部１２は、前記カード１３を挿入させるカード挿入口１９を、前記カバー８とシートバックフィニッシャ６との間に設けている。
【００２２】
以上のようにして構成されたカード収容部付き車両用テーブル装置において、テーブル４を使用しない時には、テーブル４を、図１に示すようにシートバックフィニッシャ６のテーブル収容凹部５に格納して置く。テーブル４をシートバック背面２ａに格納した状態では、シートバック２の運転席側寄りの角部にカード挿入口１９が露出された状態にあるからカード収容部１２へのカード１３の出し入れをスムーズに行うことができ、利便性が向上する。
【００２３】
この一方、テーブル４を使用する時には、図６に示すように、シートクッション１の上にシートバック２を重ねるように折り畳んだ状態にした後、シートバックフィニッシャ６のテーブル収容凹部５に格納されたテーブル４を引き出し反転させて開く。テーブル４は、運転席側寄りの車両斜め前方に向けて反転された状態でシフトレバー２０の上方に配置される。このテーブル４が開くことで、その下に設けられたカード挿入口１９がこのテーブル４で覆われた状態となり、カード収容部１２に収容されたカー１３が車外から見えなくなる。
【００２４】
本実施の形態によれば、シートバック背面２ａに開閉自在に設けたテーブル４を反転させて開いたときに、このテーブル４の下にカード１３を収容させるカード収容部１２を設けているので、車から離れるときにはこのテーブル４を反転させることで簡単にカード１３を隠すことができ、走行時にはテーブル４をシートバック背面２ａに格納することでカード挿入口１９が露出しカード収容部１２に対するカード１３の出し入れが容易になる。
【００２５】
また、本実施の形態によれば、カード収容部１２をシートバック背面２ａの運転席側角部に設けているので、カード挿入口１９が運転席側に向きカード１３の出し入れをスムーズに行うことができ利便性が向上する。
【００２６】
また、本実施の形態によれば、テーブル４を回転自在とするヒンジ機構部７を覆うカバー８にカード収容部１２を設けているので、グローブボックスやコンソールなどの従来からの収納スペース容量を損なわない。
【００２７】
また、本実施の形態によれば、カード挿入口１９をカバー８とシートバックフィニッシャ６との間に設けたので、従来からあるカバー８とシートバックフィニッシャ６に多少の加工を加えるだけで簡単にカード挿入口１９を設けることができ、別途カード挿入口を形成する必要がなくなる。
【００２８】
また、本実施の形態によれば、カバー８とシートバックフィニッシャ６の内面にカード１３を厚み方向に押さえる位置決め用リブ１５、１８を設けたので、カード収容部１２に挿入されたカード１３のガタツキを抑えることができる。
【００２９】
また、本実施の形態によれば、シートバックフィニッシャ６にカード１３の挿入をガイドする挿入ガイド部１６を設けたので、カード収容部１２へのカード１３の挿入がスムーズに行える。
【００３０】
また、本実施の形態によれば、シートバック背面２ａに格納されたテーブル４が運転席側寄りの車両斜め前方に向けて反転されてシフトレバー２０の上に開いて配置されるので、誤ったシフトレバー操作を未然に回避することができる。
【００３１】
以上、本発明を適用した具体的な実施の形態について説明したが、上述の実施の形態は、本発明の一例に過ぎないからこれら実施の形態に、本発明が限定されるものではない。
【図面の簡単な説明】
【００３２】
【図１】本実施の形態のカード収容部付き車両用テーブル装置が設けられた車両用助手席シートを示し、シートバック背面側から見たときの斜視図である。
【図２】本実施の形態のカード収容部付き車両用テーブル装置のカード収容部が設けられた部分を拡大して示す要部拡大斜視図である。
【図３】図２のヒンジ機構部を覆うカバーを取り外したときのカード収容部の要部拡大斜視図である。
【図４】図２のヒンジ機構部を覆うカバーを裏側から見たときの斜視図である。
【図５】カバーを装着させた状態の図３のＡ−Ａ線位置の断面図である。
【図６】図１のシートバックを折り畳んでテーブルを反転させて開いた状態を示す斜視図である。
【符号の説明】
【００３３】
１…シートクッション
２…シートバック
３…車両用助手席シート
４…テーブル
５…テーブル収容凹部
６…シートバックフィニッシャ
７…ヒンジ機構部
８…カバー
９…回転支持体（ヒンジ機構部）
１０…固定部材（ヒンジ機構部）
１１…回転装着部（ヒンジ機構部）
１４Ａ、１７Ａ…奥行き位置決めリブ
１４Ｂ、１７Ｂ…サイド位置決めリブ
１５、１８…厚み方向位置決めリブ
１６…挿入ガイド部
１９…カード挿入口
２０…シフトレバー
【図１】
2008137583.tif 000003
【図２】
2008137583.tif 000004
【図３】
2008137583.tif 000005
【図４】
2008137583.tif 000006
【図５】
2008137583.tif 000007
【図６】
2008137583.tif 000008